【事件の表示】
　特願２００４−２１９７２２「旋盤」拒絶査定不服審判事件〔平成１７年　５月１９日出願公開、特開２００５−１２５４８２〕について、次のとおり審決する。
【結　論】
　本件審判の請求は、成り立たない。
【理　由】
１．手続の経緯・本願発明
　本願は、特許法第４１条に基づく優先権主張を伴う平成１６年７月２８日（優先日：平成１５年１０月３日、出願番号：特願２００３−３４６２４９号）の出願であって、その請求項１に係る発明（以下、「本願発明」という。）は、平成１７年６月１０日付け手続補正書により補正された明細書及び図面の記載からみて、その特許請求の範囲の請求項１に記載された事項により特定される次のとおりのものと認められる。
「　【請求項１】
　ワークを把持して回転させる機能を持つと共に、該ワークの回転軸に平行なＺ方向に往復移動可能な主軸と、
　前記主軸に対向して配置され、ワークを把持して回転させる機能を持ち、前記Ｚ方向に往復移動可能な背面主軸と、
　前記ワークを加工するための工具が取付けられ、前記Ｚ方向に往復移動可能であると共に該Ｚ方向とは異なる方向のＸ方向に往復移動可能であり、かつ該Ｚ方向及び該Ｘ方向を含むＸＺ平面内で回転して該工具の向きを変化させることが可能な工具主軸と、
　前記主軸から突出した前記ワークを回転可能に支持すると共に前記回転軸の方向に摺動させるガイドブッシュと、
　任意数の前記工具を収容する工具マガジンと、
　すでに前記工具主軸に取付けられている工具を、前記工具マガジンに収容されている工具に交換する工具交換手段と、
　を備えることを特徴とする旋盤。」
　　　　　　　　　　　　　　　　　　　　　　　　　　　　　　　　　
２．引用刊行物
　原査定の拒絶の理由に引用された本願の出願前に日本国内において頒布された刊行物である特開平１０−１５７０３号公報（以下、「刊行物１」という。）及び特開平１１−１３８３７４号公報（以下、「刊行物２」という。）には、以下の事項が記載されている。
　　　　　　　　　　　　　　　　　　　　　　　　　　　　　　
（１）刊行物１
ア．段落【０００１】
「【発明の属する技術分野】本発明は、主軸に把持され、これにより回転駆動されるワークピースの加工を行う旋盤に関し、特に前記ワークピースの回転軸に対して、傾いた軸を有する穴の加工など斜め加工を行うことのできる多機能旋盤に関する。」
イ．段落【００１２】，【００１３】
「【課題を解決するための手段】・・・本発明にかかる多機能旋盤は、ワークピースを把持し、これを回転駆動し、前記回転の軸方向である第１の軸方向に移動可能な主軸と、前記ワークピースを加工する回転工具に駆動力を与える駆動軸が前記第１の軸に直交する第２の軸方向に配置され、少なくとも前記第１の軸および第２の軸の双方に直交する第３の軸方向に移動可能な刃物台と、前記回転工具を少なくとも一つ保持し、前記第２の軸に直交する平面に沿って配置され、当該平面内で旋回可能な工具保持軸を含み、前記刃物台に取り付けられる加工ユニットと、を有している。
　この構成によれば、工具保持軸が第２の軸に直交する平面内で旋回可能であるので第１の軸に対し任意の角度に回転工具を位置させることができる。そして、主軸と刃物台を相対移動させることによって、前記の角度で穴開け加工などをすることができる。・・・」
ウ．段落【００２０】〜【００２３】
「ワークピース１０の先端はガイドブッシュ６６を貫通している。すなわち、ワークピース１０はガイドブッシュ６６により支持され、刃物から受ける切削反力による撓みを抑え、加工精度を確保している。主軸台１６は、Ｚ軸方向に移動可能であり、この移動方向の制御軸がＺ１軸である。
　・・・タレット型刃物台２２の制御軸は、ワークピースに対して工具により切り込みを行う方向であるＸ２軸と、前記Ｚ１軸に平行なＺ２軸と、Ｘ２軸とＺ２軸の各々に直交するＹ２軸との３軸である。
　・・・
　本実施形態においては、主軸台１６に対向して第２の主軸台６８が配置されている。以降、主軸台１６は、第２主軸台６８と区別するために第１主軸台１６と記して説明する。第２主軸台６８は、第１主軸台１６で加工されたワークピース１０の右端をチャック７０により把持し、第１主軸台１６からワークピース１０を受け取り、これを回転することができる。この第２主軸台６８によって、特に第１主軸台１６に把持されていた部分など、ワークピース１０の左端付近の加工を行うことができる。また、左側の方が細い段付き部分も、第２主軸台６８に把持した状態で加工を行うことが好ましい。この第２主軸台６８は、Ｚ軸方向に移動可能であり、その制御軸がＺ３軸である。
　タレット型刃物台２２には、斜め穴用の加工ユニット７２が取り付けられた状態が示され、この加工ユニット７２の詳細な構成が図２に示されている。・・・」
エ．段落【００２６】
「図５には、加工ユニットを角度θだけ回動させ、旋回軸９０の方向からタレット２４をみた状態が示されている。回転工具としてドリルを用い、タレット型刃物台２２の制御軸であるＹ２軸、Ｚ２軸を制御すれば、図示するようにワークピース１０に対して角度θの斜め穴を加工することができる。また、タレット型刃物台の制御軸Ｙ２軸と、主軸台１６の制御軸Ｚ１軸を同期制御することによっても、同様の斜め穴加工が可能である。」
オ．段落【００３４】
「【発明の効果】以上本発明によれば、工具保持軸がＸ軸に直交する平面内で旋回可能であるのでＺ軸に対し任意の角度の回転工具を位置させることができる。そして、主軸と刃物台を相対移動させることによって、前記の角度で穴開け加工をすることができる。・・・」
　　　　　　　　　　　　　　　　　　　　　　　　　　　　　　　
　上記記載事項において、第２主軸台６８には主軸が設置されていることは明らかである。
　してみると、これらの記載事項及び図面の記載からみて、刊行物１には、次の発明（以下、「引用発明」という。） が記載されていると認められる。
「ワークピース１０を把持して回転させる機能を持つと共に、該ワークの回転軸に平行なＺ１軸方向に往復移動可能な主軸１４と、
　前記主軸１４に対向して配置され、ワークピース１０を把持して回転させる機能を持ち、前記Ｚ３軸方向に往復移動可能な第２主軸台６８の主軸と、
　前記主軸１４から突出した前記ワークピース１０を回転可能に支持すると共に前記回転軸の方向に摺動させるガイドブッシュ６６と、
　Ｚ２軸方向、Ｘ２軸方向及びＹ２軸方向に往復移動可能なタレット型刃物台２２と、
　前記ワークピース１０を加工するための回転工具が取付けられ、前記Ｘ２軸に直交する平面内で旋回して該回転工具の向きを変化させることが可能な工具保持軸８０を含み、前記タレット型刃物台２２に取付けられる斜め穴用の加工ユニット７２と、
　を備える多機能旋盤。」
　　　　　　　　　　　　　　　　　　　　　　　　　　　　　　　　　
（２）刊行物２
ア．段落【０００１】
「【発明の属する技術分野】本発明は、少なくとも工具を回転可能に保持する工具主軸を備え、旋削加工，ドリル加工，面加工，研削加工などの複数種の加工を行うことのできる複合加工型の旋盤に関し、更に詳しくは、工具主軸に装着した工具を迅速に新たな工具と交換することのできる複合加工型旋盤に関する。」
イ．段落【００１２】
「・・・ベッド及び主軸台と、ベッド上を長手方向に沿って往復動する往復台と、該往復台上に設けられ該往復台の移動方向と直交する方向に往復動する横送台と、該横送台上に設けられる刃物台とを備えるとともに、前記刃物台が少なくとも工具を回転可能に保持する工具主軸を備えて、複数種の加工が可能となった複合加工型の旋盤において、複数の工具を保持し、保持した各工具を工具交換位置に割り出す工具マガジン、及び前記工具マガジン側の工具と前記工具主軸に装着された工具とを交換する工具交換アームを備えた工具交換装置を前記往復台に付設するとともに、該工具交換装置を前記刃物台に対して離接自在に設けたことを特徴とするものである。」
ウ．段落【００２２】〜【００２５】
「・・・図１及び図２は本発明の・・・複合加工型旋盤を示す斜視図である。図中、１はベッドであり、２はベッド１上に設けた主軸台であり、・・・
　また、５は往復台であり、図において具体的に示していないが、この往復台５は前記スライドレール４の背後（奥）側に設けた別のスライドレールに係合しており、矢示Ａ−Ｂ方向に移動可能となっている。また、往復台５の傾斜面にはスライドレール７が設けられており、このスライドレール７に係合する横送台６が矢示Ｃ−Ｄ方向に移動可能に設けられている。
　８は工具主軸９を有する刃物台であり、矢示Ｉ−Ｊ方向に旋回可能に前記横送台６上に設けられている。この刃物台８は工具主軸９を回転駆動する駆動モータ（図示せず）を内蔵する一方、工具主軸９の回転を止めるロック機構（図示せず）を備えており、工具主軸９に保持した工具を軸中心に回転させることができるようになっている一方、固定した状態に維持することができるようにもなっている。これにより、工具を固定して保持する場合には旋削加工を行うことができ、工具を回転させて保持する場合にはドリル加工，面加工，研削加工などを行うことができる。」
エ．段落【００２８】
「以上の構成を備えた複合加工型旋盤によれば、ワークを加工する際には、工具交換装置１０の支持コラム１２を矢示Ｆ方向に移動して待機させる。これにより、加工内容に応じて刃物台８が矢示Ｉ−Ｊ方向に旋回する際の、刃物台８と支持コラム１２との干渉を防止することができる。」
　　　　　　　　　　　　　　　　　　　　　　　　　　　　　　　　
　上記記載事項において、主軸台２には主軸が設置されていることは明らかである。
　してみると、これらの記載事項及び図面の記載からみて、刊行物２には、次の事項（以下、「刊行物２記載の事項」という。） が記載されていると認められる。
「ワークを把持して回転させる機能を持つ主軸と、
　前記ワークを加工するための工具が取付けられ、Ａ−Ｂ方向に往復移動可能であると共に該Ａ−Ｂ方向とは異なる方向のＣ−Ｄ方向に往復移動可能であり、かつ該Ａ−Ｂ方向及び該Ｃ−Ｄ方向を含むＩ−Ｊ方向に旋回して該工具の向きを変化させることが可能な工具主軸９と、
　任意数の前記工具を収容する工具マガジン１４と、
　すでに前記工具主軸９に取付けられている工具を、前記工具マガジン１４に収容されている工具に交換する工具交換アーム１６と、
　を備える複合型旋盤。」
　　　　　　　　　　　　　　　　　　　　　　　　　　　　　　　
３．対比
　本願発明と引用発明とを対比すると、引用発明における「ワークピース１０」は本願発明における「ワーク」に、以下同様に、「Ｚ１軸方向」，「Ｚ２軸方向」及び「Ｚ３軸方向」は「Ｚ方向」に、「主軸１４」は「主軸」に、「第２主軸台６８の主軸」は「背面主軸」に、「Ｘ２方向」は「Ｘ軸方向」に、「旋回して」は「回転して」に、「工具保持軸８０」は「工具主軸」に、「ガイドブッシュ６６」は「ガイドブッシュ」に、「多機能旋盤」は「旋盤」に、それぞれ相当することは明らかである。
　そして、引用発明における「タレット型刃物台２０」は、任意数の工具が配設されるものであるから、引用発明における「Ｚ軸方向、Ｘ軸方向及びＹ軸方向に往復移動可能なタレット型刃物台２２、及び、前記ワークピース１０（本願発明の「ワーク」に相当する。）を加工するための回転工具（回転工具）が取付けられ、前記Ｘ軸に直交する平面内で旋回して該回転（同「工具」）の向きを変化させることが可能な工具保持軸８０（同「工具主軸」）を含み、前記タレット型刃物台２２に取付けられる加工ユニット７２」は、「ワークを加工するための任意数の工具が配設され、Ｚ方向を含む平面内で回転して工具の向きを変化させることが可能な工具主軸を備えた工具設定部」である限りにおいて、本願発明における「ワークを加工するための工具が取付けられ、前記Ｚ方向に往復移動可能であると共に該Ｚ方向とは異なる方向のＹ方向に往復移動可能であり、かつ該Ｚ方向及び該Ｙ方向を含むＹＺ平面内で回転して該工具の向きを変化させることが可能な工具主軸、任意数の前記工具を収容する工具マガジン、及び、すでに前記工具主軸に取付けられている工具を、前記工具マガジンに収容されている工具に交換する工具交換手段」と共通している。
　　　　　　　　　　　　　　　　　　　　　　　　　　　　　　　
　してみると、両者の一致点及び相違点は、以下のとおりである。
［一致点］
　ワークを把持して回転させる機能を持つと共に、該ワークの回転軸に平行なＺ方向に往復移動可能な主軸と、前記主軸に対向して配置され、ワークを把持して回転させる機能を持ち、前記Ｚ方向に往復移動可能な背面主軸と、前記主軸から突出した前記ワークを回転可能に支持すると共に前記回転軸の方向に摺動させるガイドブッシュと、ワークを加工するための任意数の工具が配設され、Ｚ方向を含む平面内で回転して工具の向きを変化させることが可能な工具主軸を備えた工具設定部と、を備える旋盤である点。
　　　　　　　　　　　　　　　　　　　　　　　　　　　　　　　
［相違点］
　ワークを加工するための任意数の工具が配設され、Ｚ方向を含む平面内で回転して工具の向きを変化させることが可能な工具主軸を備えた工具設定部が、
　本願発明では、ワークを加工するための工具が取付けられ、前記Ｚ方向に往復移動可能であると共に該Ｚ方向とは異なる方向のＸ方向に往復移動可能であり、かつ該Ｚ方向及び該Ｘ方向を含むＸＺ平面内で回転して該工具の向きを変化させることが可能な工具主軸と、任意数の前記工具を収容する工具マガジンと、すでに前記工具主軸に取付けられている工具を、前記工具マガジンに収容されている工具に交換する工具交換手段とからなるのに対して、
　引用発明では、Ｚ軸方向、Ｘ軸方向及びＹ軸方向に往復移動可能なタレット型刃物台２２、及び、前記ワークピース１０（本願発明の「ワーク」に相当する。）を加工するための回転工具（同「工具」）が取付けられ、前記Ｘ軸に直交する平面内で旋回して該回転（同「工具」）の向きを変化させることが可能な工具保持軸８０（同「工具主軸」）を含み、前記タレット型刃物台２２に取付けられる加工ユニット７２である点。
　　　　　　　　　　　　　　　　　　　　　　　　　　　　　　　　　　
４．当審の判断
　上記相違点について、以下検討する。
　前記２．（２）で認定した刊行物２記載の事項における「Ａ−Ｂ方向」は、本願発明における「Ｚ方向」に、以下、同様に、「Ｃ−Ｄ方向」は「Ｘ方向」に、「Ｉ−Ｊ方向に旋回して」は「ＸＺ平面内で回転して」に、「工具主軸９」は「工具主軸」に、「工具マガジン１４」は「工具マガジン」に、「工具交換アーム１６」は「工具交換手段」に、「複合型旋盤」は「旋盤」に、それぞれ、相当することは明らかである。
　そうすると、刊行物２には、「ワークを把持して回転させる機能を持つ主軸と、前記ワークを加工するための工具が取付けられ、前記Ｚ方向に往復移動可能であると共に該Ｚ方向とは異なる方向のＸ方向に往復移動可能であり、かつ該Ｚ方向及び該Ｘ方向を含むＸＺ平面内で回転して該工具の向きを変化させることが可能な工具主軸と、任意数の前記工具を収容する工具マガジンと、すでに前記工具主軸に取付けられている工具を、前記工具マガジンに収容されている工具に交換する工具交換手段と、を備える旋盤。」が記載されているということができる。
　そして、引用発明と刊行物２記載の事項とは、ワークに複数種の多様な加工を行うことのできる旋盤のワークの回転軸であるＺ方向を含む平面内で回転して工具の向きを変化させることが可能な工具主軸を備えた工具設定部に関する技術として共通しており、しかも、引用発明に刊行物２記載の事項の適用を阻害する特段の事由も認められない。
　したがって、引用発明に刊行物２記載の事項を適用することにより、引用発明におけるワークを加工するための任意数の工具が配設され、Ｚ方向を含む平面内で回転して工具の向きを変化させることが可能な工具主軸を備えた工具設定部を、刊行物２記載の事項のものに置き換えて本願発明の相違点に関する特定事項とすることは、当業者が容易に想到し得たことである。
　また、本願発明の奏する効果も、引用発明及び刊行物２記載の事項から当業者が十分予測できる程度のものであって格別なものでもない。
　　　　　　　　　　　　　　　　　　　　　　　　　　　　　　　　　　
　したがって、本願発明は、引用発明及び刊行物２記載の事項に基づいて当業者が容易に発明をすることができたものである。
　　　　　　　　　　　　　　　　　　　　　　　　　　　　　　　　　　
５．むすび
　以上のとおりであるから、本願発明は、特許法第２９条第２項の規定により特許を受けることができない。
　したがって、本件出願は拒絶すべきものである。
　よって、結論のとおり審決する。